(57)【要約】カードおよびカードリーダのような電子支払装置をテストするための基準カードおよび基準リーダを含む基準装置を提供する。基準装置は、電子支払システムにおいて現在配備されまたは配備が想定される種々の支払装置の外部挙動をシミュレートするように設計する。さらに、基準装置は、テスト中の装置が、実地使用において想定されるかあるいは広範なクラスの支払装置を代表する極端な挙動を受けるように構成する。外部挙動は、例えば電力消費、共振周波数、Ｑ値、変調度、ノイズおよびタイミングのような機能パラメータに関するものとすることができる。好適な基準装置は、経験的に定められる、実地における製品装置の平均挙動である代表的な外部挙動を示すように構成する。製品仕様準拠テストのために基準装置を使用することは、製品の支払装置の相互運用性を強化する。
2008507042.tif 000002
【特許請求の範囲】
【請求項１】
電子支払システムにおいて複数の支払カードを読み取るために使用されるカードリーダをテストするための基準カードにおいて、
前記電子支払システムにおいて使用される前記複数の支払カードの挙動を代表する代表的外部挙動を行う電子回路を具え、該電子回路が、テスト中の前記カードリーダに対して前記代表的外部挙動を示すように構成されていることを特徴とする基準カード。
【請求項２】
前記複数の支払カード非接触型支払カードであり、前記基準カードの前記電子回路が、約16.1MHzの共振周波数を有するアンテナを具えていることを特徴とする請求項１に記載の基準カード。
【請求項３】
さらに、テスト中にカードリーダによって送信された信号の全周波数成分を分析すべく構成された較正コイルを具えていることを特徴とする請求項１に記載の基準カード。
【請求項４】
前記複数の支払カードが非接触型支払カードであり、前記基準カードの前記電子回路が可変負荷を具え、前記基準カードの前記電子回路が、前記電子支払システムにおける前記複数の支払カードの実地使用をシミュレートする負荷条件を、テスト中の前記カードリーダに対して示すように構成されていることを特徴とする請求項１に記載の基準カード。
【請求項５】
前記可変負荷が、テスト中の前記カードリーダにとって最悪のシナリオである最大カード電力消費を表現することを特徴とする請求項４に記載の基準カード。
【請求項６】
前記基準カードの前記電子回路が、異なるレベルの負荷変調を用いて、テスト中の前記カードリーダに対して情報を送信すべく構成されていることを特徴とする請求項４に記載の基準カード。
【請求項７】
前記較正コイルが、送信される情報中にノイズを導入するように構成され、これによりテスト中の前記カードリーダの受信器品質を調査可能にすることを特徴とする請求項６に記載の基準カード。
【請求項８】
電子支払システム内に配備された複数のカードリーダの任意のものと共に使用可能な支払カードをテストするための基準リーダにおいて、
前記電子支払システム内に配備された前記複数のカードリーダの挙動を代表する代表的外部挙動を行う電子回路を具え、該電子回路は、テスト中の前記支払カードに対して前記代表的外部挙動を示すように構成されていることを特徴とする基準リーダ。
【請求項９】
前記複数のリーダが非接触型支払カードリーダであり、前記基準リーダの前記電子回路が、約13.56MHzの共振周波数を有するアンテナを含む請求項８に記載の基準リーダ。
【請求項１０】
前記アンテナが回路基板上に製造された円形アンテナであり、前記基準リーダがさらに、前記プリント回路基板から約15mmの固定距離に配置された着地プレートを具え、カードがテストのために前記着地プレート上に置かれることを特徴とする請求項９に記載の基準リーダ。
【請求項１１】
前記アンテナが、実地に配備された前記複数のカードリーダの前記アンテナの平均値を表わす約7cmの直径を有する円形アンテナであり、前記アンテナが、実地に配備されたカードリーダを代表する磁場を発生することを特徴とする請求項１０に記載の基準リーダ。
【請求項１２】
前記アンテナが、回路リンギングを生じさせるＱ値であって、前記電子支払システム内に配備された前記複数のカードリーダにとって信号変調についての最悪のシナリオを表現するＱ値を有することを特徴とする請求項１０に記載の基準リーダ。
【請求項１３】
前記アンテナが、約30〜約35の範囲内にあるＱ値を有することを特徴とする請求項１０に記載の基準リーダ。
【請求項１４】
さらに、カード応答を分析すべく構成された同相信号除去回路を具えていることを特徴とする請求項８に記載の基準リーダ。
【発明の詳細な説明】
【技術分野】
【０００１】
関連出願のクロスリファレンス
本出願は、２００４年７月１５日出願の米国暫定特許出願第６０／５８８２７０号に基づいて優先権を主張する。本出願は、これと同日出願の米国特許出願とも関連する。上記のすべての特許出願は、参考文献として本願明細書に含める。
【背景技術】
【０００２】
無線周波数識別（RFID）タグは、アンテナに接続された小型集積回路（IC）であり、簡単な識別情報を有するか、またはICのサイズ次第ではより複雑な信号を有する問合せ無線周波信号に応答することができる。RFID技術は、通信のための接点または視線を必要としない。無線周波識別（RFID）技術は、現在、経済的に実施可能であり、商業的および工業的利用がますます普及している。例えば、RFID技術は、現在、倉庫、商店にある品物やIDまたはアクセスカードなどのタグに広く使用されている。さらに、RFID技術は、支払カード産業において（例えば、マスターカード社、アメリカンエキスプレス社およびビザ社によって）、RFIDタグが埋め込まれた「非接触型」支払またはクレジットカードの形で導入されてきている。これらの非接触型支払カードは、RFID対応支払端末による無線通信を介して電子支払取引を行うことができる。非接触型支払カードは、消費者に、例えば小売店舗、商店またはスーパーマーケットにおいて商品およびサービスの代金を払うための簡単、迅速かつ便利な手段を提供する。
【０００３】
一部のRFID技術は、非接触型支払カードおよびカードリーダ（読取器）／端末に利用可能である。非接触型システムの基礎構成は、非接触型リーダ（または近接型結合装置（PCD））およびトランスポンダである。非接触型リーダは、電子回路に接続されたアンテナである。トランスポンダは、誘導アンテナと、このアンテナの端部に接続された集積回路とを含む。リーダ‐トランスポンダの組合わせは、変成器として機能する。交流電流は、電磁界を発生する一次コイル（リーダアンテナ）を流れ、この電磁界が二次コイル（トランスポンダのアンテナ）の電流を誘導する。トランスポンダは、非接触型リーダ（PCD）によって伝送される電磁界（またはRFフィールド）を、ダイオード整流器によって直流電圧に変換する。この直流電圧は、トランスポンダの内部回路に給電する。双方のアンテナの構成および同調が、一方の装置から他方の装置への結合効率を決定する。トランスポンダは、非接触型支払カードであってもよい。
【０００４】
非接触型支払カードシステムが経済的に実現可能になり、商業的に受容されるためには、カードおよび端末が特定のカードプロバイダ（提供者）／発行者、ベンダー（販売者）または端末製造業者独自の技術的特徴を有する場合であっても、非接触型支払カードは全てまたは大部分のRFID対応支払端末において相互運用可能でなければならない。産業全般にわたる相互運用性が、望ましい。これを目的として、業界標準化組織およびグループ（例えば国際標準化機構（ISO）および国際電気標準会議（IEC））は、非接触型支払技術の実現のための自主工業規格を公式化した。ISO／IECによって規定されている規格を３つ例示すると、密着型、近接型および近傍型カードに適応したISO/IEC10536、ISO/IEC14443およびISO/IEC15693規格が挙げられる。
【０００５】
ISO/IEC14443近接型カード標準規格（ISO14443）は、世界的に普及した複数の非接触型カードに使用されている。ISO14443近接型カードの目標動作範囲は最高10cmであるが、この範囲は、電力要件、メモリサイズ、CPUおよびコプロセッサに応じて変動する。
【０００６】
ISO14443標準規格書は、４つの異なる部からなる。
【０００７】
・第１部：物理特性であり、物理特性は、近接型ICカード（PICC）の物理的な寸法を規定する。カードは、ID-1サイズ（85.6mm×54.0mm×0.76mm）である。これは、銀行のクレジットカードと同一サイズである。
【０００８】
・第２部：無線周波電力および信号インタフェースであり、周波数、データレート、変調方式およびビット符号化手順といった項目を含む非接触型ICチップの主要な技術特性を規定する。第２部は、タイプAインタフェースおよびタイプBインタフェースという２つの変種について詳述している。双方とも、同一周波数で動作するとともに同一のデータレートを使用するが、変調方式およびビット符号化の領域において相互に異なる。
【０００９】
・第３部：初期化および衝突防止。初期化は、近接型結合装置（PCD）（すなわちリーダ）およびカードが、カードがリーダの無線周波（RF）電磁界に入った際に通信を確立するための要求事項を記述する。衝突防止は、複数のカードが同時に磁場に入った際に何が起こるかについて規定するものであり、システムがどちらのカードを取引に使用するかをどのように決定するかを決定するとともに、提示されたすべてのカードに記録がなされ、処理されることを保証する。
【００１０】
・第４部：伝送プロトコルであり、取引中の通信を可能にするデータフォーマットおよびデータ要素を規定する。
【００１１】
ISO14443に対応する非接触型支払カードおよびカードリーダのシステムは、少なくとも上記自主規格のうち一部の要求事項を満たさなければならない。ISO14443によって標準化された非接触型技術に加えて、多くの独自の非接触型インタフェースも産業界において使用されている（例えばCubic（登録商標）のGO-Card（登録商標）やソニー社のフェリカ（FeliCa）カード（登録商標））。既存のカード技術が発展するに従って、相互運用性が問題になりうる。ベンダーが市場に配備したカードリーダは、好適にはいくつかの異なるカードタイプに対応するべきである。例えば、カードリーダは、ISO14443タイプAおよびタイプBカード、ISO15693カードおよびあらゆる追加的な独自のカードタイプに対応することが望ましい。
【００１２】
相互運用性の問題は、１つのISO規格（例えばISO14443）に準拠するであろうカードの普及によってもなお起こりうる。ISO14443規格において、非接触型カードおよびリーダシステムのRF電力および信号インタフェース（すなわちシステムのオープンシステム相互接続（OSI）モデル図の物理層）に関連した全ての要求事項または仕様は、カード用とリーダ用とで別個に標準化されたテストを用いて規定される。ISO/EEC10373規格第６部（ISO10373-6）はテスト方法を取り扱い、これは非接触型ICカード技術（近接型カード）に特化している。非接触型カードおよびリーダのISO14443に対する準拠は、基準装置により確認される。ISO10373-6によると、非接触型カードの特性を表わすことのできる一組の「基準」カード（すなわち基準PICC）が、非接触型リーダの仕様準拠の評価に使用される。（例えば図１ａ参照）。例えば、基準PICCはPCDによって生成または伝播される磁場をテストし、およびPCDの、PICCに給電する能力をテストする。同様に、非接触型リーダの特性を表現することのできる「基準」リーダ（すなわちテストまたは基準PCD）が、非接触型カードの仕様準拠の評価に使用される。例えば、基準PCDは、テスト中にカードによって発生する負荷変調のテストに使用される。
【００１３】
図１ｂは、電源リンクおよびデータリンクのテストに関するISO10373-6に基づく製品のリーダに対して実行される機能テストを示す。
【００１４】
ISO10373-6に基づく別個のカードおよびリーダ準拠テスト手順は、配備された製品装置それぞれが、カードまたはリーダに関する仕様範囲の何れかに含まれる特性を有することを保証することはできるが、この手順は、実地における相互運用性を保証しない。準拠が確認されたカードおよび／またはリーダは、ほんのわずかの差でそのようにみなされただけかもしれない（例えば、所定の仕様範囲の境界または端に特性値を有する場合）。このような規格準拠法では、実地における運用上の障害を生じるおそれがある。例えば、わずかの差で準拠するカードは、同様にわずかの差だけで準拠するカードリーダによって読み込むのが不可能であるか、または困難であるかもしれない。
【００１５】
現在、非接触型電子支払システムにおいて使用される電子支払装置の相互運用性を強化する手法について考慮がなされている。一般に受容された規格に合致するカードおよびリーダの特性の変動を減少させることが着目されている。特に、支払装置の相互運用性を強化するため規格準拠手順を改良することが着目されている。
【発明の開示】
【００１６】
本発明は、電子支払取引を実行する現場に配備することのできる支払装置をテストする基準装置を提供する。基準装置は、製品のカードおよび製品のリーダの製品仕様への準拠を確認するのにそれぞれ使用する基準カードおよび基準リーダを含む。製品仕様は、例えば、電子支払産業において一般に受容されているISO14443規格仕様にすることができる。
【００１７】
基準装置は、装置仕様の販売者特注対応または製造公差のために機能的挙動が変動しうる、製品の支払装置の相互運用性を強化するように設計する。特に、基準カードは消費者に発行される製品のカードに観測される一連の挙動をシミュレート（模擬）または表現するように設計する。同様に、基準リーダは、例えば販売業者および商店によって実地に配備された製品のリーダに観測される一連の挙動をシミュレートまたは表現するように設計する。このような基準装置による製品装置の仕様準拠テストは、発行された製品のカードの、実地に配備された製品のリーダとの相互運用性、および逆に、配備された製品のリーダの、消費者に発行された製品のカードとの相互運用性を強化するであろう。
【００１８】
基準装置は、例えば同時出願の米国特許出願に記載された方法により、発行されたカードに許容される仕様の確立に使用することができる。これに記載の方法において、基準カードおよび基準リーダは、カードおよびリーダについての動作仕様を結び付けるために、相互較正される。適正なカードおよびリーダ機能に対する重複仕様範囲または許容誤差の適切な選択により、発行された製品のカードの、配備された製品のリーダとの相互運用性、および逆に、配備された製品のリーダの、消費者に発行された製品のカードとの相互運用性が強化される。
【００１９】
さらなる本発明の特徴、その性質および様々な利点が、添付の図面および以下の詳細な説明からより明らかとなろう。
【発明を実施するための最良の形態】
【００２０】
本発明は、電子支払取引を実行する現場において配備または使用される製品の支払装置をテストするための基準装置を提供する。基準装置は、製品のカードおよび製品のリーダの標準工業製品仕様への準拠を確認するのにそれぞれ使用する基準カードおよび基準リーダを含む。基準カードおよび基準リーダ装置は、外部的に観測可能な挙動が指定されるように設計する。外部的に観測可能な挙動は、現場に配備された製品装置の観測または予期される挙動の公称範囲を複製またはシミュレートできるように選択する。製品の支払装置をテストするこれらの基準装置を使用することにより、機能的挙動が販売者特注対応または製造公差のために変動しうる装置の相互運用性が促進される。
【００２１】
本発明の基準装置は、本願明細書において、非接触型支払装置仕様の、ISO14443規格のような一般的な工業規格への合致が意図された電子支払システムの実現の関係で説明する。このような規格は、さらに個々の非接触型支払装置の仕様を検証する標準化されたテスト方法（ISO10373-6テスト方法、近接型カード）を指定する。近年、譲受人であるマスターカードインターナショナル社（「マスターカード」）は、（例えばカードおよびカードリーダの発行者、販売者（ベンダー）または製造者が）近接型支払カード技術を実現するための独自仕様であるマスターカード・ペイパス（PayPass）（登録商標）ISO/IEC14443実現仕様（「ペイパス（PayPass）」）を開発した。ペイパス実現は、ISO14443規格に整合し、本発明の原理を示す好都合な例を提供する。本願明細書における説明のためのペイパス実現の選択は、単に例示的なものであり、本発明の原理は、より一般的に他の一般的な工業または独自規格に基づいて動作する電子支払装置およびシステムに適用できることは明らかである。
【００２２】
非接触型カードおよび／またはカードリーダの異なる発行者、販売者または製造業者によって利用されうるペイパス実現仕様は、非接触型支払装置技術の実現のための標準仕様を提供する。特定の通信プロトコル要求事項が、非接触型支払装置、すなわちカード（PICC）およびリーダ（PCD）に課される。ペイパス仕様は、例えば、PICCとPCD間との非接触型インタフェースの電気特性と、高レベルデータ伝送プロトコル、詳細シグナリング、変調およびビット符号化方式を含むPICCとPCDとの間の通信のデータ転送特性と、このような通信に使用されるデータフォーマットとを記述する。ペイパス仕様は、初期化、ポーリング、衝突検出、PICCの活性化および不活性化のような装置機能に利用可能なPCD処理および命令（コマンド）、並びにこのような処理機能におけるPICCの状態機械（ステートマシン）も特定する。
【００２３】
本発明の基準装置は、非接触型支払装置どうし（すなわち消費者に発行される製品のカードおよび販売業者が配備する製品のリーダ）の相互運用性を強化するため、同時係属の米国特許出願（S/N SMETS I）に記載のシステムおよび方法と一緒に使用することができる。上記に記載のシステムおよび方法により、個々の製品カードおよびリーダが、ISO14443規格に基づく動作に許容される範囲よりも厳格な仕様範囲内で動作されまたは機能することが保証される。本明細書に開示するシステムおよび方法は、ISO14443およびISO10373-6規格に基づく個々の製品のリーダおよびカードの仕様準拠のテストに使用される基準装置（すなわち基準PICCおよび基準PCD装置）に関連する。基準PCDは、観測された基準PICCの機能的挙動の範囲またはパラメータ（「公称カード範囲」）を確立するのに使用する。製品のカードリーダは、基準PCDによる測定の際に、公称カード範囲に含まれる機能的挙動またはパラメータを有する必要がある。逆に、基準PICCは、観測された基準PCDの機能的挙動の範囲またはパラメータ（「公称リーダ範囲」）を確立するのに使用する。製品リーダは、基準カードを読む際、公称リーダ範囲に含まれる機能的挙動またはパラメータのを有する必要がある。
【００２４】
図１ｂは、相互較正された基準PICCおよび基準PCD装置により、ペイパス実現における支払装置に対して行う機能テストを概略的に示す。
【００２５】
基準PICCおよび基準PCDの相互較正は、２つの標準装置の間の関係を確立するとともに、個々の製品のカード用の仕様を、製品のリーダ用の仕様と関連付ける。これにより、カードおよびリーダ仕様に対する、従来の独立した、あるいは別個のテストにより、例えば、ISO14443規格において認容されるそれぞれの仕様範囲の最端に位置するカードおよびリーダに起こりうる相互運用性の支障が回避される。
【００２６】
相互較正された基準PICCおよびPCDに基づく、製品の非接触型支払装置の給電、データ転送および他の機能的な相互運用性を保証または強化するための例示的な手順は、以下のステップを含むことができる：
(a)PCDが基準PICCに供給する電力を測定する。
(b)基準PICC上でデータ伝送（例えば変調度または他の信号パラメータ）を測定する。
(c)基準PICCに異なる信号を発生させることにより、PCDによるデータ受信（例えば、負荷変調感度）をテストする。まずペイパス基準PICCを基準PCDに対して較正し、基準PICCに発生させる異なる信号のレベルおよび特性を測定する。
(d)PICCから基準PCDへのデータ伝送を測定し、その際に基準PCDは「平均」値コマンドをPICCに送信し、基準PICCは「平均」電力レベルを供給する。基準PCDによって生成された電力レベルおよびコマンドの両方の特性を、基準PICCに関して較正する。
(e)基準PCDを用いてPICCのデータ受信および電力感度をチェックし、その際に基準PCDは、許容誤差間隔または範囲Rrxの境界における変調特性および電力レベルを有するコマンドを送信する。さらに、これらの極値を設定するために、基準PCDを基準PICCに対して較正する。
【００２７】
本発明によれば、例示的なカードおよびリーダ基準装置を、その外部的に観測可能な挙動が指定されるように設計する。基準装置の外部的に観測可能な挙動は、実地に配備された製品装置の観測または予期される挙動の公称範囲を複製またはシミュレートできるように選択することができる。上記のような基準装置（例えば図２ａおよび図２ｂのペイパス基準PCDおよびペイパス基準PICC装置）がペイパス実現に利用される。図２ａおよび図２ｂのそれぞれは、ペイパス実現仕様に従って設計された物理的なペイパス基準PCDおよびペイパス基準PICC装置の図を示す。
【００２８】
例示的なペイパス基準PCDおよびペイパス基準PICCは、現に普及した非接触型支払技術を代表する。これらの基準装置は、一般的な工業仕様範囲（例えば、ISO14443規格によって認容される範囲または実地において観測される範囲）に含まれる機能持性を有する任意の相手製品装置と一緒に動作するように設計される。設計の際、基準装置が、機能特性が許容または観測される使用範囲の端に位置する製品装置を含むすべての相手製品装置と一緒に動作可能であることが要求される。この設計要件は、全てのペイパスまたはペイパスに類似する製品装置のテストを可能にすることによって、相互運用性を促進する。例えば同時係属出願に記載の方法により、あらゆる発行済みの製品のカードまたはPICCをペイパス基準PICCに対してテストし、同様に、任意の既に配備された製品のカードリーダまたはPCDを確認することができる。
【００２９】
例示的なペイパス基準PCDは、円形アンテナおよび同相信号（コモンモード）除去（CMR）回路を含む。（図２a参照）。
【００３０】
プリントコイル組立品（アセンブリ）として形成することができるアンテナは、二重アクティブ（有効）巻線およびダミー巻線を有する。二重巻線は、アンテナの電界感度を減少させる。図３ａはアンテナの回路図を示しており、このアンテナは、二重巻線コイルに加えて、同調回路、整合（マッチング）ネットワークおよび適切なケーブルコネクタ（例えばSMAコネクタ）を含む。13.56MHzで共振するように設計されたアンテナコイルを、テストのために、カードを置くことができる着地帯またはプレートに取り付ける。例示的なペイパス基準PCDでは、着地帯はアンテナから約15cmの固定距離に指定する。ペイパス基準PCDは、信号発生器に接続されると、PICCに対する命令の送信を可能にする。ペイパス PICCからの応答は、CMR回路を用いて分析することができる。
【００３１】
表１は、例示的なペイパス基準PCD用に選択した 一組のアンテナ設計パラメータ値を示す。
【００３２】
【表１】
2008507042.tif 000003
【００３３】
アンテナ特性は、実地において観測される製品のリーダ特性を代表するように選択する。例えば、実地に配備された製品のペイパス端末またはリーダは、経験的に約4cm〜約10cmの範囲のアンテナ直径を有し、これは、約7cmの平均直径に相当する。従って、ペイパス基準PCDアンテナ直径は、実地に配備されたリーダの代表として約7cmを選択する。他のペイパス基準PCD設計パラメータ（例えば、電磁気、回路および物理パラメータ）も、同様に、装置が実地に配備されたリーダを代表するように選択することができる。
【００３４】
動作中に、磁場を生成するため、±600mWの信号がアンテナの50Ω入力インピーダンスに供給され、これは実地に配備された大部分のペイパス PCDを代表する。円形アンテナは、ｚ軸について対称な電磁界分布を発生させ、これにより測定が単純になる。
【００３５】
さらに、動作中に、13.56MHzの信号が、コイル巻線の両端に高電圧を生成する整合ネットワークを介して、リーダコイルを駆動する。アンテナによって放射される13.56MHzのRF搬送波を、振幅変調することができる。アンテナハードウェア（例えばCMR回路）は、テスト中にカードまたはPICCが発生する負荷変調によって生成された12.7MHzおよび14.4MHzの二種類の搬送側波帯を復元することを可能にする。復元された信号をCMR回路に供給して、13.56MHzの搬送信号を差し引き、847.5KHzの副搬送波信号を復元する。CMR回路は、任意の好都合または適切な設計にすることができる。適切なCMR回路およびその動作は、同時出願された米国特許出願に記載されている。
【００３６】
ペイパス基準PCDアンテナは、高いＱ値（Qファクター）（約30〜35）を有する。高いＱ値は、搬送波が遮断（「休止」）された際に、大きな回路の「リンギング（振動減衰）」を引き起こす。この「リンギング」は、変調の最悪のシナリオ（すなわち、高いＱ値を有する小型アンテナ）を表現する。製品のカードは、より良質の変調を提供する。従って、極端な負荷条件の下でペイパス基準PCDと一緒に満足に動作するあらゆる製品のカードは、実地では、配備された製品のリーダと一緒に動作しやすい。
【００３７】
ペイパス基準PCDおよびペイパス基準PICC装置のアーキテクチャおよび回路パラメータは、テスト製品装置に意図される使用法を考慮して選択するのは、明らかであろう。例示的なペイパス基準装置の特定のアーキテクチャは、本願明細書において説明のみを目的として記載される。他の基準装置も、その外部的に観測可能な挙動が同様に指定される限り、本発明と矛盾しない何らかの好都合なアーキテクチャおよび設計を有する場合がある。基準装置のアーキテクチャおよび設計パラメータの選択は、製品のカードおよび製品のリーダのアーキテクチャおよび設計パラメータとは無関係であることは明らかであろう。基準装置の特定アーキテクチャの選択は、製品装置が同一または何らかの特定アーキテクチャ（例えばアンテナ配置および共振周波数）を有することを強制または要請しない。
【００３８】
ペイパス基準PCDと同様に、ペイパス基準PICC（図２）を実地において観測される製品カード特性を代表するように設計する。ペイパス基準PICCは、ID-1カードに搭載されるものと類似するアンテナを有し、これは、ペイパス基準PCDアンテナと同様のコイルまたはプリント回路基板組立品にすることができる。図3bは、ペイパス基準PICCの回路図である。回路基板（「PICC回路」と称する）は、アンテナコイルに加えて、同調回路、ブリッジ整流器、ツェナーまたは平滑回路、FETシャント変調器、クロック復調器および他の信号処理回路を含む。
【００３９】
さらに、ペイパス基準PICCは、PICC回路に加えて較正コイルを含み、これは、プリント回路基板の15mm上方に単一のユニット組立品として実装する。ユニット組立品は、PCDによって送信された信号の分析用に設計する。較正コイルは、PCD信号の全周波数成分の分析を可能にし、通常、これは、PICC回路単独ではその制限された帯域のため、完全に実行することはできない。較正コイルは、ISO10372-6規格に規定された基準に基づいて設計することができる。
【００４０】
PICC回路は、PCDの特徴付けテストが、常に、実地におけるカード使用条件をシミュレートする負荷条件の下で実行されるように設計する。ペイパス基準PICCは、また、異なるレベルの負荷変調によりPCDに情報を返送するように設計する。このために、PICC回路は、変化する磁界強度に自己適応する変動負荷を含む。データをPCDに返送する間に、較正コイルを用いてノイズを導入して、PCDの受信品質をテストすることができる。
【００４１】
表２は、例示的なペイパス基準PICC用に選択した 一組の設計パラメータ値を示す。
【００４２】
【表２】
2008507042.tif 000004
【００４３】
さらに、ペイパス基準PICCにおける可変負荷のパラメータの値は、現在実地に配備されたPICCに観測される最大電力消費に基づいて選択する。最大電力消費負荷は、PCDにとっての最悪のシナリオを表現する。現在配備された製品のPICCは、ペイパス基準PICCよりも少ない電力を消費するものと想定される。PICCの将来版は、省電力半導体デバイス技術の進化のおかげで、さらに少ない電力を消費すると考えられる。従って、リーダまたはPCDがペイパス基準PICCと一緒に動作する場合、現行のPICCおよび将来のPICCと一緒に動作すると考えられる。
【００４４】
本発明は、特にその好適な実施例を参照して説明してきたが、本発明の範囲を逸脱することなく様々な変形および変更が可能であることは当業者にとって明らかである。従って、開示した本発明の実施例は単に例示的なものにすぎず、本発明は請求項に特定した事項の範囲のみに限定される。
【図面の簡単な説明】
【００４５】
【図１ａ】図１ａは、本発明の原理による、基準PICCを基準PCDと一緒に相互較正する工程を模式的に示すブロック図である。相互較正された基準PICCおよびPCD装置は、この後、製品非接触型支払カードおよびリーダの機能的特性および仕様をテストするのに使用される。
【図１ｂ−１】図１ｂは、本発明の原理による、非接触型リーダと非接触型近接カードとの間の電源リンクおよびデータリンクのいくつかの機能テストを示す概略図である。
【図１ｂ−２】図１ｂは、本発明の原理による、非接触型リーダと非接触型近接カードとの間の電源リンクおよびデータリンクのいくつかの機能テストを示す概略図である。
【図１ｂ−３】図１ｂは、本発明の原理による、非接触型リーダと非接触型近接カードとの間の電源リンクおよびデータリンクのいくつかの機能テストを示す概略図である。
【図１ｂ−４】図１ｂは、本発明の原理による、非接触型リーダと非接触型近接カードとの間の電源リンクおよびデータリンクのいくつかの機能テストを示す概略図である。
【図１ｂ−５】図１ｂは、本発明の原理による、非接触型リーダと非接触型近接カードとの間の電源リンクおよびデータリンクのいくつかの機能テストを示す概略図である。
【図１ｂ−６】図１ｂは、本発明の原理による、非接触型リーダと非接触型近接カードとの間の電源リンクおよびデータリンクのいくつかの機能テストを示す概略図である。
【図２ａ】図２ａは、本発明の原理により設計された例示的なペイパス基準リーダの斜視図である。
【図２ｂ】図２ｂは、本発明の原理により設計された例示的なペイパス基準カードの斜視図である。
【図３ａ】図３ａは、本発明の原理よる、図２のペイパス基準リーダにおいて使用されるアンテナの回路図である。
【図３ｂ】図３ｂは、本発明の原理による、図２のペイパス基準カードの回路図である。
【図１ａ】
2008507042.tif 000005
【図１ｂ−１】
2008507042.tif 000006
【図１ｂ−２】
2008507042.tif 000007
【図１ｂ−３】
2008507042.tif 000008
【図１ｂ−４】
2008507042.tif 000009
【図１ｂ−５】
2008507042.tif 000010
【図１ｂ−６】
2008507042.tif 000011
【図２ａ】
2008507042.tif 000012
【図２ｂ】
2008507042.tif 000013
【図３ａ】
2008507042.tif 000014
【図３ｂ】
2008507042.tif 000015
【国際調査報告】
2008507042.tif 000016